(57)【要約】【課題】低コスト化を図ることができる機器の転倒防止具を提供する。【解決手段】転倒防止具１は、転倒防止部材１０を備えている。この転倒防止部材１０は、キャスター１０４を備える画像形成装置１０１の底面１０２ｂと設置面Ｇとの間の隙間Ｓに挟み込み可能に形成されている。さらに転倒防止部材１０は、画像形成装置１０１の梱包に使用された梱包用緩衝材を利用したものである。【選択図】図１
2017003740.tif 000002
【特許請求の範囲】
【請求項１】
キャスターを備える機器の底面と設置面との間の隙間に挟み込み可能な転倒防止部材を備え、当該転倒防止部材は、前記機器の梱包に使用された梱包用緩衝材を利用したものであることを特徴とする機器の転倒防止具。
【請求項２】
請求項１に記載の機器の転倒防止具において、
前記転倒防止部材に埋め込まれる転倒防止具用アングル材を備え、当該転倒防止具用アングル材は、前記機器の梱包に使用された梱包用アングル材を利用したものであることを特徴とする機器の転倒防止具。
【請求項３】
請求項２に記載の機器の転倒防止具において、
前記転倒防止具用アングル材は、前記転倒防止部材に複数埋め込まれていることを特徴とする機器の転倒防止具。
【請求項４】
請求項２または請求項３に記載の機器の転倒防止具において、
前記転倒防止部材に、前記転倒防止具用アングル材が挿入可能な挿入部を設けたことを特徴とする機器の転倒防止具。
【請求項５】
請求項２〜請求項４のいずれか１項に記載の機器の転倒防止具において、
前記転倒防止具用アングル材は、前記転倒防止部材から突出しないように埋め込まれていることを特徴とする機器の転倒防止具。
【請求項６】
請求項１〜請求項５のいずれか１項に記載の機器の転倒防止具において、
前記梱包用緩衝材に、前記梱包用緩衝材を切断して前記転倒防止部材を分離する切断部を形成したことを特徴とする機器の転倒防止具。
【請求項７】
請求項１〜請求項６のいずれか１項に記載の機器の転倒防止具において、
前記転倒防止部材に、前記キャスターに固定して前記転倒防止部材の設置位置を決める位置決め部を設けたことを特徴とする機器の転倒防止具。
【請求項８】
請求項１〜請求項７のいずれか１項に記載の機器の転倒防止具において、
前記機器に引き出しが設けられている場合には、前記転倒防止部材を少なくとも前記機器の前記底面の引き出し側と前記設置面との間の前記隙間に挟み込み可能に形成したことを特徴とする機器の転倒防止具。
【請求項９】
請求項２〜請求項８のいずれか１項に記載の機器の転倒防止具において、
前記梱包用アングル材は、前記機器の梱包時に段積み用として前記機器の側面の角部に当てられるように断面Ｌ字型の棒状に形成されたものであることを特徴とする機器の転倒防止具。
【請求項１０】
請求項５〜請求項８のいずれか１項に記載の機器の転倒防止具において、
前記梱包用アングル材は、前記機器の梱包時に前記機器の外箱の辺部に当てられたものであり、前記転倒防止部材に埋め込んだときに前記転倒防止部材から突出しないように予め成形されていることを特徴とする機器の転倒防止具。
【発明の詳細な説明】
【技術分野】
【０００１】
本発明は、機器の転倒防止具に関する。
【背景技術】
【０００２】
画像形成装置等のキャスターを備える機器は、キャスターのみで設置面に接触するため設置面に対する摩擦抵抗が小さい。そのため、機器が地震等で揺れると滑走して設置面上の突出物や他の設置物に当たって転倒してしまう。
【０００３】
そこで、機器の滑走や転倒を防止するために転倒防止具が提案されている（例えば特許文献１参照）。この転倒防止具は、機器の底面と設置面との間の隙間に転倒防止具を挟み込んで使用される。
【発明の概要】
【発明が解決しようとする課題】
【０００４】
しかしながら、特許文献１の転倒防止具は、別途用意する必要があり、輸送時には梱包材が必要になるため、コストがかかる問題があった。
【０００５】
本発明は、このような従来の課題に鑑みてなされたものであり、低コスト化を図ることができる機器の転倒防止具を提供することを目的とする。
【課題を解決するための手段】
【０００６】
本発明の機器の転倒防止具は、キャスターを備える機器の底面と設置面との間の隙間に挟み込み可能な転倒防止部材を備え、当該転倒防止部材は、前記機器の梱包に使用された梱包用緩衝材を利用したものであることを特徴とする。
【発明の効果】
【０００７】
本発明の機器の転倒防止具によれば、低コスト化を図ることができる。
【図面の簡単な説明】
【０００８】
【図１】本発明の第１の実施の形態に係る画像形成装置の正面図である。
【図２】同実施の形態に係る画像形成装置の左側面図である。
【図３】同実施の形態に係る画像形成装置の梱包時の斜視図である。
【図４】図３の画像形成装置に外箱を被せてＰＰバンドで固定した状態の斜視図である。
【図５】同実施の形態に係る転倒防止部材の分割方法を説明する図である。
【図６】同実施の形態に係る転倒防止具の製作方法を説明する図である。
【図７】本発明の第２の実施の形態に係る画像形成装置の左側面図である。
【図８】同実施の形態に係る転倒防止具とキャスターを示す斜視図である。
【発明を実施するための形態】
【０００９】
以下、本発明の実施の形態を図にしたがって説明する。
【００１０】
（第１の実施の形態）
図１は、本発明の第１の実施の形態に係る画像形成装置１０１の正面図である。図２は、画像形成装置１０１の左側面図である。画像形成装置１０１としては、プリンタ、ファクシミリ、複写機等が挙げられる。
【００１１】
最初に画像形成装置１０１の構成を簡単に説明する。この画像形成装置１０１は、画像形成装置本体１０２と、画像形成装置本体１０２の画像形成部１０２ａの下部に設けられた複数の給紙トレイ１０３と、画像形成装置本体１０２の底面１０２ｂの四隅に設けられた複数のキャスター１０４とを備えている。
【００１２】
給紙トレイ１０３は、画像形成装置本体１０２に用紙を供給するものである。この給紙トレイ１０３内には用紙が積載されて収容されている。この給紙トレイ１０３は、手前に引き出し可能に構成されている。
【００１３】
画像形成部１０２ａは、給紙トレイ１０３内の用紙を搬送させて、搬送中の用紙に対して画像形成を行うものである。
【００１４】
キャスター１０４は、画像形成装置本体１０２を支持し、また設置場所を移動するために使用される。このキャスター１０４には、画像形成装置１０１の設置時にキャスター１０４が回転しないようにキャスター１０４を固定するレバーが設けられている。
【００１５】
次に、画像形成装置１０１の転倒防止具１について説明する。この転倒防止具１は、画像形成装置本体１０２の底面１０２ｂの前側の両角部と設置面Ｇとの間の隙間Ｓに挟み込まれて設置されている。
【００１６】
この転倒防止具１は、隙間Ｓに挟み込み可能な転倒防止部材１０と、転倒防止部材１０に埋め込まれる２つの転倒防止具用アングル材２０とを備えている。
【００１７】
転倒防止部材１０と転倒防止具用アングル材２０は、画像形成装置１０１の梱包に使用された梱包用緩衝材１１０と梱包用アングル材１２０Ａ、１２０Ｂ（図３及び図４参照）を利用している。
【００１８】
図３に示すように、画像形成装置１０１は、梱包時に上部と下部の角部に梱包用緩衝材１１０が当てられており、この状態で段ボール製または木製のパレット２０１の上に載せられている。この梱包用緩衝材１１０は発泡スチロール製であり、輸送時の画像形成装置１０１を振動や落下等から保護するものである。
【００１９】
画像形成装置１０１の側面の角部１０１ａには、梱包用緩衝材１１０を介して梱包用アングル材１２０Ａが当てられている。この梱包用アングル材１２０Ａは、画像形成装置１０１を倉庫等で保管する際に段積みをするとき、上側の画像形成装置からの荷重を受けて当該画像形成装置１０１を保護するものである。
【００２０】
この梱包用アングル材１２０Ａは紙製であり、断面Ｌ字型の棒状に形成されている。さらに、この梱包用アングル材１２０Ａは、角部１０１ａに当てたときに上部の梱包用緩衝材１１０よりも高く位置するように形成されている。
【００２１】
さらに画像形成装置１０１は、図４に示すように上から外箱２０２が被せられる。この外箱２０２には、複数のＰＰバンド２０３がパレット２０１の桁２１１，２１１間を通すように巻きつけられて締結具２０４により固定される。
【００２２】
このときにＰＰバンド２０３が当たる外箱２０２の辺部２０２ａには、複数の梱包用アングル材１２０Ｂが当てられている。この梱包用アングル材１２０Ｂは断面Ｌ字型に形成されている。この梱包用アングル材１２０Ｂは、ＰＰバンド２０３の締結時にＰＰバンド２０３が外箱２０２に食い込むのを防ぐものである。
【００２３】
また、梱包用緩衝材１１０は、図５の（ａ）に示すように、転倒防止部材１０と、転倒防止部材１０の下面に結合されたＬ字部１１１とを備えている。
【００２４】
転倒防止部材１０は、平板状に形成されている。この転倒防止部材１０は、画像形成装置１０１の梱包時に画像形成装置１０１の角部の上面又は下面に当てられている（図３参照）。
【００２５】
転倒防止部材１０の高さ１０ｈは、隙間Ｓ（図１及び図２参照）に挟み込み可能な高さに設定されている。転倒防止部材１０の上面１０ｓにおいて設置時に前側となる部分には、転倒防止具用アングル材２０（図６参照）が挿入可能な２つのＬ字状の切り込み１０ａ，１０ａ（挿入部）が設けられている。
【００２６】
Ｌ字部１１１は、平面視でＬ字状に形成されている。このＬ字部１１１は、画像形成装置１０１の梱包時に画像形成装置１０１の角部の直交する２つの側面に当てられている（図３参照）。
【００２７】
図５の（ａ）→（ｂ）に示すように、転倒防止部材１０とＬ字部１１１との境界には、転倒防止部材１０とＬ字部１１１とを分割するための水平ミシン目１１０ａが形成されている。Ｌ字部１１１の角部には、Ｌ字部１１１を２つの平板状の部材１１１ａ，１１１ｂに分割するための垂直ミシン目１１０ｂが形成されている。
【００２８】
図６の（ａ）→（ｂ）に示すように２つの転倒防止具用アングル材２０は、転倒防止部材１０の上面１０ｓから平面視でＬ字状の状態で埋め込まれる。具体的には、各転倒防止具用アングル材２０は、転倒防止部材１０の各切り込み１０ａ，１０ａにそれぞれ挿入されて埋め込まれる。
【００２９】
各転倒防止具用アングル材２０は、転倒防止部材１０から突出しないように形成されている。具体的には、各転倒防止具用アングル材２０の高さ２０ｈが、転倒防止部材１０の高さ１０ｈと同じ高さに設定されている。
【００３０】
各転倒防止具用アングル材２０は、図３の段積み用の梱包用アングル材１２０Ａを転倒防止部材１０の高さ１０ｈと同じ高さになるように切断して使用される。
【００３１】
以上のように構成されている転倒防止具１の製作方法と設置方法について説明する。
【００３２】
サービス員等の作業者は、画像形成装置１０１を開梱して設置した後、２つの梱包用緩衝材１１０の各々を図５の（ａ）→（ｂ）に示すように水平ミシン目１１０ａに沿って切断し、転倒防止部材１０を２つ製作する。
【００３３】
次に作業者は、梱包用アングル材１２０Ａを転倒防止部材１０の高さ１０ｈと同じ高さに切断して、転倒防止具用アングル材２０を４つ製作する。
【００３４】
最後に作業者は、図６の（ａ）→（ｂ）に示すように、各転倒防止部材１０の２つの切り込み１０ａの各々に転倒防止具用アングル材２０を挿入して埋め込む。これにより２つの転倒防止具１が出来上がる。
【００３５】
続いて作業者は、２つの転倒防止具１を図１や図２に示すように、画像形成装置１０１の前方から底面１０２ｂの前側の両角部と設置面Ｇとの間の隙間Ｓに挟み込んで設置する。ここで、各転倒防止具１の転倒防止具用アングル材２０は図６の（ｂ）に示すように前側に位置させる。
【００３６】
この転倒防止具１により画像形成装置１０１は、キャスター１０４だけで設置面Ｇに支持される場合よりも設置面Ｇに対する接触面積が大きくなり、摩擦抵抗も大きくなる。したがって、画像形成装置１０１は、地震等で揺れても滑走するのが抑えられるので、設置面上の突出物や他の設置物に当たってしまうことがなくなり転倒が防止される。
【００３７】
次に、転倒防止具１の効果を列挙して説明する。
【００３８】
本実施の形態の転倒防止具１は、画像形成装置１０１の底面１０２ｂと設置面Ｇとの間の隙間Ｓに挟み込み可能な転倒防止部材１０を備えている。この転倒防止部材１０は、画像形成装置１０１の梱包に使用された梱包用緩衝材１１０を利用したものである。このため、発泡緩衝材を別途用意する必要がなく、輸送時には発泡緩衝材を梱包する梱包材を必要としない。よって、本実施の形態の転倒防止具１は、低コスト化を図ることができる。
【００３９】
また本実施の形態の転倒防止具１は、転倒防止部材１０に埋め込まれる転倒防止具用アングル材２０を備えている。この転倒防止具用アングル材２０は、画像形成装置１０１の梱包に使用された梱包用アングル材１２０Ａを利用したものである。このため、アングル材を別途用意する必要がなく、輸送時にはアングル材を梱包する梱包材を必要としない。また、この転倒防止具用アングル材２０により転倒防止部材１０は補強されるので、画像形成装置１０１の荷重を受けて凹んで隙間Ｓから抜けるのが抑えられる。よって、本実施の形態の転倒防止具１は、低コスト化を図りつつ画像形成装置１０１の転倒防止機能を高めることができる。
【００４０】
また本実施の形態の転倒防止具１は、転倒防止具用アングル材２０が、転倒防止部材１０に複数埋め込まれている。これにより転倒防止部材１０は確実に補強されるので、隙間Ｓから抜けるのがさらに抑えられる。よって、本実施の形態の転倒防止具１は、画像形成装置１０１の転倒防止機能をさらに高めることができる。
【００４１】
また本実施の形態の転倒防止具１は、転倒防止具用アングル材２０を平面視でＬ字状に形成し、転倒防止部材１０に垂直方向で埋め込まれている。これにより転倒防止部材１０は補強範囲が広く確保されるので、隙間Ｓから抜けるのがさらに抑えられる。よって、本実施の形態の転倒防止具１は、画像形成装置１０１の転倒防止機能をさらに高めることができる。
【００４２】
また本実施の形態の転倒防止具１は、転倒防止部材１０に、転倒防止具用アングル材２０が挿入可能な挿入部（切り込み１０ａ）を設けた。これにより転倒防止部材１０に転倒防止具用アングル材２０を容易に埋め込むことが可能になる。よって、本実施の形態の転倒防止具１は、製作効率を上げることができる。
【００４３】
また本実施の形態の転倒防止具１は、切り込み１０ａの形状を転倒防止具用アングル材２０の形状と同じＬ字状にした。これにより転倒防止部材１０に転倒防止具用アングル材２０をさらに容易に埋め込むことが可能になる。よって、本実施の形態の転倒防止具１は、製作効率をさらに上げることができる。
【００４４】
また本実施の形態の転倒防止具１は、転倒防止具用アングル材２０は、転倒防止部材１０から突出しないように埋め込まれている。具体的には、転倒防止具用アングル材２０の高さ２０ｈが、転倒防止部材１０の高さ１０ｈと同じ高さに設定されている。これにより転倒防止部材１０は強度が確実に確保されるので、隙間Ｓから抜けるのがさらに抑えられる。よって、本実施の形態の転倒防止具１は、画像形成装置１０１の転倒防止機能をさらに高めることができる。
【００４５】
また本実施の形態の転倒防止具１は、２つのＬ字状の転倒防止具用アングル材２０を転倒防止部材１０の左右方向で中央側に向き合うように配置した。これにより転倒防止部材１０の外側部分よりも中央部分が補強されるので中央部分の凹みが抑えられ、隙間Ｓから抜けるのがさらに抑えられる。よって、本実施の形態の転倒防止具１は、画像形成装置１０１の転倒防止機能をさらに高めることができる。
【００４６】
また本実施の形態の転倒防止具１は、梱包用緩衝材１１０に、梱包用緩衝材１１０を切断して転倒防止部材１０を分離する切断部（水平ミシン目１１０ａ）を形成した。これにより梱包用緩衝材１１０を水平ミシン目１１０ａに沿って切断することで梱包用緩衝材１１０から転倒防止部材１０を容易に得ることが可能になる。よって、本実施の形態の転倒防止具１は、製作効率をさらに上げることができる。
【００４７】
また本実施の形態の転倒防止具１は、転倒防止部材１０を、少なくとも画像形成装置１０１の底面１０２ｂの前側（引き出し側）と設置面Ｇとの間の隙間Ｓに挟み込み可能に形成した。これにより用紙の補給等で給紙トレイ１０３を手前に引き出したときに画像形成装置１０１が手前に傾斜しても、転倒防止部材１０で支持されるので転倒を防止することができる。
【００４８】
また本実施の形態の転倒防止具１は、画像形成装置１０１の底面１０２ｂの前側の両角部と設置面Ｇとの間の隙間Ｓに挟み込み可能に形成した。これにより給紙トレイ１０３を手前に引き出したときに画像形成装置１０１が手前に傾斜しても、転倒防止具１の使用数を最小限にして画像形成装置１０１を安定して支持することが可能になる。よって、本実施の形態の転倒防止具１は、コストを抑えつつ画像形成装置１０１の転倒防止機能をさらに高めることができる。
【００４９】
また本実施の形態の転倒防止具１は、転倒防止部材１０の前部に転倒防止具用アングル材２０を埋め込んで設けたので転倒防止部材１０の前部が補強される。これにより給紙トレイ１０３を手前に引き出したときに画像形成装置１０１が手前に傾斜しても画像形成装置１０１をより安定して支持することが可能になる。よって、本実施の形態の転倒防止具１は、画像形成装置１０１の転倒防止機能をさらに高めることができる。
【００５０】
また本実施の形態では、梱包用アングル材１２０Ａは、画像形成装置１０１の梱包時に段積み用として画像形成装置１０１の側面の角部１０１ａに当てられるように断面Ｌ字型の棒状に形成されたものである。これにより転倒防止具用アングル材２０を転倒防止部材１０の補強度に応じて梱包用アングル材１２０Ａから切断して使用することが可能になる。よって、本実施の形態の転倒防止具１は、画像形成装置１０１の転倒防止機能を確実に高めることができる。
【００５１】
（第２の実施の形態）
図７に本発明の第２の実施の形態に係る画像形成装置１０１の左側面図を示す。本実施の形態では、第１の実施の形態で説明した部分と同じ部分には同じ符号を付し、異なる部分を中心にして説明する。
【００５２】
本実施の形態の画像形成装置１０１の転倒防止具１Ａは、第１の実施の形態の転倒防止具１と同様に、画像形成装置１０１の底面１０２ｂの前側の両角部と設置面Ｇとの間の隙間Ｓに挟み込まれて設置されている。各転倒防止具１Ａは、転倒防止部材１０Ａと、２つの転倒防止具用アングル材２０とを備えている。
【００５３】
転倒防止部材１０Ａは、第１の実施の形態の転倒防止部材１０よりも後方に長く形成されている。図８に示すように転倒防止部材１０Ａの後面１０ｔには、キャスター１０４を差し込ませて固定して転倒防止部材１０Ａの設置位置を決める位置決め部（切り込み１０ｂ）が設けられている。この切り込み１０ｂは、転倒防止部材１０Ａの後面１０ｔの中間部分に垂直方向に形成されている。さらに、この切り込み１０ｂは、後面１０ｔから前方に延びて形成されている。またこの切り込み１０ｂは、キャスター１０４を構成する脚部１０４ａを差し込ませるように形成されている。
【００５４】
転倒防止具１Ａの設置に際して作業者は、２つの転倒防止具１Ａをそれぞれ図７に示すように画像形成装置１０１の前方から隙間Ｓに挟み込んでいき、切り込み１０ｂにキャスター１０４を差し込ませて設置する。
【００５５】
この転倒防止具１Ａにより画像形成装置１０１は、キャスター１０４だけで設置面Ｇに支持される場合よりも設置面Ｇに対する接触面積が大きくなり、摩擦抵抗も大きくなる。したがって、画像形成装置１０１は、地震等で揺れても滑走するのが抑えられるので、設置面上の突出物や他の設置物に当たってしまうことがなくなり転倒が防止される。
【００５６】
次に、転倒防止具１Ａの効果を列挙して説明する。
【００５７】
本実施の形態の転倒防止具１Ａは、第１の実施の形態の転倒防止具１と同様に、転倒防止部材１０に梱包用緩衝材１１０を利用したので、発泡緩衝材を別途用意する必要がなく、輸送時には梱包材を必要としない。よって、本実施の形態の転倒防止具１Ａは、低コスト化を図ることができる。
【００５８】
また本実施の形態の転倒防止具１Ａは、転倒防止部材１０Ａに、キャスター１０４に固定して転倒防止部材１０Ａの設置位置を決める位置決め部（切り込み１０ｂ）を設けた。これにより転倒防止部材１０Ａの設置位置の位置決めを容易に行うことが可能になる。よって、本実施の形態の転倒防止具１Ａは、設置作業を効率良く行うことができる。
【００５９】
また本実施の形態の転倒防止具１Ａは、切り込み１０ｂでキャスター１０４に固定されるようにしたので、設置位置が不用意にずれるのを防ぐことができる。
【００６０】
また本実施の形態の転倒防止具１Ａは、切り込み１０ｂにキャスター１０４を差し込ませるだけで設置位置を決めるようにしたので、設置位置の位置決めをより容易に行うことが可能になる。よって、本実施の形態の転倒防止具１Ａは、設置作業をさらに効率良く行うことができる。
【００６１】
また本実施の形態の転倒防止具１Ａは、位置決め部として切り込み１０ｂを使用したので、部品点数を追加せずに転倒防止部材１０の設置位置の位置決めを容易に行うことが可能になる。よって本実施の形態の転倒防止具１Ａは、コストを抑えて設置作業を効率良く行うことができる。その他の効果は第１の実施の形態で説明した通りである。
【００６２】
以上、本発明に係る実施の形態を例示したが、この実施の形態は本発明の内容を限定するものではない。また、本発明の請求項の範囲を逸脱しない範囲であれば、各種の変更等は可能である。
【００６３】
例えば、第１の実施の形態では、転倒防止具用アングル材２０として、画像形成装置１０１の梱包時に段積み用として使用された梱包用アングル材１２０Ａ（図３参照）を利用した。その他に、外箱２０２の辺部２０２ａに当てられた梱包用アングル材１２０Ｂ（図４参照）を利用しても良い。
【００６４】
この場合に、梱包用アングル材１２０Ｂを、転倒防止部材１０に埋め込んだときに転倒防止部材１０から突出しないように予め成形しておくことが好ましい。具体的には、例えば梱包用アングル材１２０Ｂを転倒防止部材１０の高さ１０ｈと同じ高さに成形する。これにより転倒防止具の製作に際して、梱包用アングル材１２０Ｂを切断して転倒防止具用アングル材２０を製作する必要がないので、転倒防止具の製作効率を上げることができる。
【符号の説明】
【００６５】
１、１Ａ    転倒防止具
１０、１０Ａ    転倒防止部材
１０ａ  切り込み（挿入部）
１０ｂ  切り込み（位置決め部）
２０  転倒防止具用アングル材
１０１  画像形成装置（機器）
１０１ａ  側面の角部
１０２ｂ  底面
１０３  給紙トレイ（引き出し）
１０４  キャスター
１１０    梱包用緩衝材
１１０ａ  水平ミシン目（切断部）
１２０Ａ、１２０Ｂ  梱包用アングル材
２０２  外箱
２０２ａ  辺部
Ｇ      設置面
Ｓ      隙間
【先行技術文献】
【特許文献】
【００６６】
【特許文献１】特開２００５−３０６１２７号公報
【図１】
2017003740.tif 000003
【図２】
2017003740.tif 000004
【図３】
2017003740.tif 000005
【図４】
2017003740.tif 000006
【図５】
2017003740.tif 000007
【図６】
2017003740.tif 000008
【図７】
2017003740.tif 000009
【図８】
2017003740.tif 000010